(57)【要約】【課題】製造コストを低減することができること。【解決手段】ＳＡＴＡ規格に準拠したレセプタクル部材１６が、ケーブル１８の一端に接続される第１の可動片部２６Ｋと、プラグ１０のコンタクトパッド１０ｃｐに接続される第２の可動片部２６Ｐとを備えるもの。【選択図】図１
2009158136.tif 000002
【特許請求の範囲】
【請求項１】
記録媒体のプラグ部が着脱可能に接続されるスロット部を有するソケット部と、該ソケット部と一体に形成され、ケーブルの一端が着脱可能に接続されるケーブル接続端部と、前記ソケット部および前記ケーブル接続端部の内側であって、前記スロット部に連通するコンタクト端子収容部と、前記コンタクト端子収容部に配される複数のコンタクト端子と、を有し、
前記コンタクト端子は、前記コンタクト端子収容部に固定される固定部と、一端が該固定部と一体に共通の平面上に形成され、前記ケーブルのコンタクトパッドに当接する接点部を有する第１の可動片部と、一端が屈曲した連結部を介して前記固定部と一体に形成され、前記プラグ部のコンタクトパッドに当接する接点部を、前記第１の可動片部の接点部に対し偏倚させて有する第２の可動片部とからなることを特徴とするレセプタクル部材。
【請求項２】
前記第２の可動片部は、前記連結部の一端に対し片持ち梁状に形成されることを特徴とする請求項１記載のレセプタクル部材。
【請求項３】
前記コンタクト端子における前記第２の可動片部は、金属材料で打ち抜かれた後、折り曲げられて形成され、前記第１の可動片部は、該金属材料で打ち抜かれて形成されることを特徴とする請求項１記載のレセプタクル部材。
【請求項４】
前記ケーブル接続端部が、前記ソケット部のスロット部に対し略平行、または、略垂直に設けられることを特徴とする請求項１記載のレセプタクル部材。
【請求項５】
記録媒体の入出力部に接続されるプラグ部と、
前記プラグ部が着脱可能に接続されるスロット部を有するソケット部と、該ソケット部と一体に形成され、ケーブルの一端が着脱可能に接続されるケーブル接続端部と、前記ソケット部および前記ケーブル接続端部の内側であって、前記スロット部に連通するコンタクト端子収容部と、前記コンタクト端子収容部に配される複数のコンタクト端子と、を有するレセプタクル部材とを備え、
前記コンタクト端子は、前記コンタクト端子収容部に固定される固定部と、一端が該固定部と一体に共通の平面上に形成され、前記ケーブルのコンタクトパッドに当接する接点部を有する第１の可動片部と、一端が屈曲した連結部を介して前記固定部と一体に形成され、前記プラグ部のコンタクトパッドに当接する接点部を、前記第１の可動片部の接点部に対し偏倚させて有する第２の可動片部とからなることを特徴とする記録媒体接続用コネクタ。
【発明の詳細な説明】
【技術分野】
【０００１】
本発明は、記録媒体を着脱可能に接続するレセプタクル部材、および、それが用いられる記録媒体接続用コネクタに関する。
【背景技術】
【０００２】
情報通信機器において、記録媒体としてのハードディスクドライブ（ＨＤＤ）または密閉型のハードディスクパック等を筐体内に内蔵するものが実用に供されている。ハードディスクパックにおける一端には、例えば、特許文献１にも示されるように、接続用プラグ（特許文献１においてハードディスク側脱着部とも呼ばれる）が設けられている。接続用プラグとしては、例えば、ＳＡＴＡ規格に準拠し成形された接続用プラグが広く利用されている。
【０００３】
そのような接続用プラグは、所定の基板上に半田付け固定されるベースコネクタに接続される。そのようなベースコネクタは、例えば、特許文献２および特許文献３にも示されるように、接続用プラグが嵌合される嵌合口、および、接続用プラグのパッドと基板の導電層とを電気的に接続する複数個のコンタクトを備えている。各コンタクトは、一端に半田付け固定端子を有している。
【０００４】
【特許文献１】特開２００６−２７８１８６号公報
【特許文献２】特開２００６−２２８６０３号公報
【特許文献３】実用新案登録第３１２２０６６号公報
【発明の開示】
【発明が解決しようとする課題】
【０００５】
しかしながら、特許文献１にも示されるような、従来のベースコネクタにおいては、ベースコネクタが固定される基板が必要とされるので製造コストが嵩むという問題点を伴う。また、基板の配置により、情報通信機器内における配置設計の自由度が、制限される場合がある。
【０００６】
以上の問題点を考慮し、本発明は、記録媒体を着脱可能に接続するレセプタクル部材、および、それが用いられる記録媒体接続用コネクタであって、コネクタの製造コストを低減することができるレセプタクル部材、および、それが用いられる記録媒体接続用コネクタを提供することを目的とする。
【課題を解決するための手段】
【０００７】
上述の目的を達成するために、本発明に係るレセプタクル部材は、記録媒体のプラグ部が着脱可能に接続されるスロット部を有するソケット部と、ソケット部と一体に形成され、ケーブルの一端が着脱可能に接続されるケーブル接続端部と、ソケット部およびケーブル接続端部の内側であって、スロット部に連通するコンタクト端子収容部と、コンタクト端子収容部に配される複数のコンタクト端子と、を有し、コンタクト端子は、コンタクト端子収容部に固定される固定部と、一端が該固定部と一体に共通の平面上に形成され、ケーブルのコンタクトパッドに当接する接点部を有する第１の可動片部と、一端が屈曲した連結部を介して前記固定部と一体に形成され、プラグ部のコンタクトパッドに当接する接点部を、第１の可動片部の接点部に対し偏倚させて有する第２の可動片部とからなることを特徴とする。
【０００８】
また、本発明に係る記録媒体接続用コネクタは、記録媒体の入出力部に接続されるプラグ部と、プラグ部が着脱可能に接続されるスロット部を有するソケット部と、ソケット部と一体に形成され、ケーブルの一端が着脱可能に接続されるケーブル接続端部と、ソケット部およびケーブル接続端部の内側であって、スロット部に連通するコンタクト端子収容部と、コンタクト端子収容部に配される複数のコンタクト端子と、を有するレセプタクル部材とを備え、コンタクト端子は、コンタクト端子収容部に固定される固定部と、一端が固定部と一体に共通の平面上に形成され、ケーブルのコンタクトパッドに当接する接点部を有する第１の可動片部と、一端が屈曲した連結部を介して固定部と一体に形成され、プラグ部のコンタクトパッドに当接する接点部を、第１の可動片部の接点部に対し偏倚させて有する第２の可動片部とからなることを特徴とする。
【発明の効果】
【０００９】
以上の説明から明らかなように、本発明に係るレセプタクル部材、および、それが用いられる記録媒体接続用コネクタによれば、コンタクト端子は、コンタクト端子収容部に固定される固定部と、一端が固定部と一体に共通の平面上に形成され、ケーブルのコンタクトパッドに当接すｈる接点部を有する第１の可動片部と、一端が屈曲した連結部を介して固定部と一体に形成され、プラグ部のコンタクトパッドに当接する接点部を、第１の可動片部の接点部に対し偏倚させて有する第２の可動片部とからなるので配線基板が不要とされ、従って、コネクタの製造コストを低減することができる。
【発明を実施するための最良の形態】
【００１０】
図３は、本発明に係る記録媒体接続用コネクタの一例を、それに接続されるケーブルの一部とともに拡大して示す。
【００１１】
図３において、記録媒体接続用コネクタは、例えば、図示が省略される車載用情報通信機器の内部に配置される記録媒体用ハウジングに配置される。その記録媒体用ハウジングは、密閉型記録媒体としてのディスクパックを着脱可能に収容する記録媒体収容部を有している。そのディスクパックは、その内部に記録媒体として所定の記憶容量を有する円盤状の磁気記録媒体、および、ドライバ等を内蔵している。記録媒体接続用コネクタは、プラグ部１０および後述するレセプタクル部材１６から構成されている。
【００１２】
ディスクパックにおける一端側の端面には、レセプタクル部材１６のソケット部が着脱可能に係合されるプラグ部１０が設けられている。プラグ部１０は、例えば、図４に拡大されて示されるように、ＳＡＴＡ規格に準拠した間隔およびサイズの複数のコンタクトパッド１０ｃｐを有している。ディスクパックの着脱方向に対し略直交する方向に配列される複数のコンタクトパッド１０ｃｐは、隔壁により、二つの群に区切られている。
【００１３】
本発明に係るレセプタクル部材の一例としての樹脂材料で成形されるレセプタクル部材１６は、図３に拡大されて示されるように、後述するケーブル１８の一端をレセプタクル部材１６内のコンタクト収容部としてのスリット１６Ｓｂｉ（ｉ＝１〜ｎ，ｎは正の整数），および、各隔壁１６ｗｉ（ｉ＝１〜ｎ，ｎは正の整数）の切欠部１６Ｃ内に対し着脱可能に固定するスライダー部材１６Ｋと、上述のディスクパックのプラグ部１０内に接続される雄型のソケット部１６ＲＨと、ソケット部１６ＲＨに隣接してスリット１６Ｓｂｉの外郭部を形成するフランジ部１６Ｆとを含んで構成されている。
【００１４】
ケーブル１８は、例えば、フラットケーブル（ＦＦＣ）、または、フレキシブル配線基板（ＦＰＣ；ｆｌｅｘｉｂｌｅ  ｐｒｉｎｔｅｄ  ｃｉｒｃｕｉｔ）、あるいは、細線同軸ケーブル等の可撓性導体とされ、コンタクト端子に接続されるコンタクトパッド群が一端に形成されている。
【００１５】
スライダー部材１６Ｋは、レセプタクル部材１６におけるケーブル接続端部に対して摺動可能に配されている。
【００１６】
スライダー部材１６Ｋは、ケーブル１８のコンタクトパッド群を後述するコンタクト端子２６ａｉの第１の可動片部２６Ｋに対し押圧する押圧部１６ＫＰを有している。押圧部１６ＫＰは、図８に示されるように、スロット１６Ｑ（図９参照），および、各隔壁１６ｗｉの切欠部１６Ｃ内に対して摺動可能に支持されている。その押圧部１６ＫＰの基端側における両側部には、それぞれ、ケーブル１８のコンタクトパッド群をコンタクト端子２６ａｉの第１の可動片部２６Ｋに対し位置決めするガイド壁１６ＫＧＷ（図６参照）が形成されている。
【００１７】
その押圧部１６ＫＰの両脇には、図１０に拡大されて示されるように、ロック／アンロック爪部１６Ｋｎが一体に形成されている。弾性変位可能なロック／アンロック爪部１６Ｋｎは、係止部１６ｎａをその先端に有している。係止部１６ｎａは、レセプタクル部材１６内に形成される孔１６Ｈに挿入される場合、その孔１６Ｈの内周面に形成される爪部１６Ｎに選択的に係止される。また、係止部１６ｎａとロック／アンロック爪部１６Ｋｎの根元部分との間には、爪部１６Ｎに選択的に係止される係止部１６ｎｂが形成されている。
【００１８】
これにより、スライダー部材１６Ｋは、図１０に示されるように、上述の係止部１６ｎａが爪部１６Ｎに係止されるとき、ケーブル１８の一端を着脱可能な状態とするアンロック位置となる。一方、係止部１６ｎｂが爪部１６Ｎに係止されるとき、図１３に示されるように、スライダー部材１６Ｋは、ケーブル１８の一端をコンタクトに対し電気的に接続する状態を保持するロック位置とをとるものとされる。
【００１９】
なお、図３および図４においては、スライダー部材１６Ｋがロック位置とされる状態を示す。
【００２０】
ソケット部１６ＲＨは、図４に拡大されて示されるように、後述のフランジ部１６Ｆの端面に対して略垂直に突出し、プラグ部１０のコンタクトパッド群が挿入される細長いスロット１６ＳＬａおよび１６ＳＬｂを有している。ソケット部１６ＲＨの両側部には、隣接して位置決めピン１６Ｐが一体に形成されている。そのスロット１６ＳＬａおよび１６ＳＬｂ内には、後述するコンタクト端子２６ａｉ（ｉ＝１〜ｎ，ｎは正の整数）の一端が露出している。スロット１６ＳＬａおよび１６ＳＬｂ相互間は、隔壁により、区切られている。また、各スロット内に形成される各スリット１６Ｓａｉおよび１６Ｓｂｉには、コンタクト端子２６ａｉが、プラグ部１０のコンタクトパッド群の配列に対応した所定の間隔で配列されている。さらに、図７に示されるように、隣接するスリット１６Ｓａｉおよび１６Ｓｂｉ相互間は、隔壁１６Ｗｉにより仕切られている。共通の直線上に相対向して形成されるスリット１６Ｓａｉおよび１６Ｓｂｉは、互いに連通している。スリット１６Ｓｂｉにおけるスライダー部材１６Ｋが挿入される端部は、開口している。また、各スリット１６Ｓａｉは、スロット１６ＳＬａおよび１６ＳＬｂに向けて開口している。
【００２１】
スリット１６Ｓａｉおよび１６Ｓｂｉ内に配されるコンタクト端子２６ａｉは、図１および図２に拡大されて示されるように、薄板金属材料でプレス加工により成形され、スリット１６Ｓｂｉに圧入され固定される固定部２６Ｆと、一端が固定部２６Ｆに連結され、他端にケーブル１８のコンタクトパッドに当接する接点部２６Ｋｃを有する第１の可動片部２６Ｋと、一端が第１の可動片部２６Ｋに隣接して連結部２６ＰＦを介して連結され、他端にプラグ部１０のコンタクトパッド１０ｃｐに当接する接点部２６Ｐｃを有する第２の可動片部２６Ｐとから構成されている。
【００２２】
連結部２６ＰＦの一端は、固定部２６Ｆと一体に共通の平面上に形成され、また、連結部２６ＰＦの他端は、その共通の平面に対し略垂直となるように一方向に屈曲されている。
【００２３】
第１の可動片部２６Ｋの接点部２６Ｋｃは、弾性変位可能とされ、連結部２６ＰＦの一端、および、固定部２６Ｆと共通の平面上にあるように形成されている。
【００２４】
第２の可動片部２６Ｐの一端が、連結部２６ＰＦの他端に連なって形成されているので固定部２６Ｆ側に凸状に湾曲した第２の可動片部２６Ｐの接点部２６Ｐｃは、図２に示されるように、固定部２６Ｆに対し所定距離、偏倚した位置に形成されることとなる。
【００２５】
固定部２６Ｆの一端には、図７に示されるように、スリット１６Ｓｂｉの開口端の周縁に係止される鉤状部２６ｆが形成されている。
【００２６】
また、コンタクト端子２６ａｉは、図１に示されるように、第１の可動片部２６Ｋの立ち上がり高さＨｋが、第２の可動片部２６Ｐの立ち上がり高さＨｐに比べて小に設定されている。
【００２７】
コンタクト端子２６ａｉをスリット１６Ｓｂｉおよび１６Ｓａｉに装着するにあたっては、スライダー部材１６Ｋがレセプタクル部材１６に対し取り外された状態において、コンタクト端子２６ａｉの第２の可動片部２６Ｐ側からスリット１６Ｓｂｉ内に挿入される。これにより、コンタクト端子２６ａｉは、鉤状部２６ｆがスリット１６Ｓｂｉの開口端の周縁に係止されることによって位置決めされることとなる。
【００２８】
フランジ部１６Ｆの両端におけるスライダー部材１６Ｋ側には、レセプタクル部材１６を上述の記録媒体用ハウジングに対し固定するための固定具２０が一対設けられている。
【００２９】
固定具２０は、図５および図６に示されるように、フランジ部１６Ｆの両端に一体に形成されるペグ部２４と、ペグ部２４内に挿入され、ペグ部の各爪部の先端を記録媒体用ハウジングの孔（不図示）の周縁に対し選択的にロック状態またはアンロック状態とするロック／アンロック部材２２とから構成されている。
【００３０】
ペグ部２４は、図６に示されるように、４本の爪部２４Ｎを有している。４本の爪部２４Ｎは、フランジ部１６Ｆの孔の内側に所定の間隔をもって形成される円筒部の一端に一体に円周方向に均等分割されて形成される。各爪部２４Ｎは、半径方向に弾性変位可能とされ、図３に示されるように、孔から突出するように形成されている。その円筒部は、その孔の周縁と２箇所で連結されている。その連結部分には、溝が斜めに形成されている。上述の円筒部内には、後述するロック／アンロック部材２２の外周面に係合される突起部（不図示）が形成されている。
【００３１】
樹脂製のロック／アンロック部材２２は、複数個の環状の隆起部を有する円柱状の軸部と、その軸部の一端に同心円状に形成されるフランジ部とから構成されている。
【００３２】
軸部の直径は、上述のペグ部２４における円筒部の内径よりも若干小に設定されている。これにより、軸部は、ペグ部２４における円筒部内を摺動可能に支持されることとなる。
【００３３】
軸部の外周面における他端近傍に、二つの隆起部が所定の間隔をもって隣接して形成されている。また、他の１つの隆起部が、フランジ部２２Ｆに隣接して外周面上に形成されている。さらに、軸部の外周面における上述の各隆起部を横切り、軸部の軸線方向に沿って延びる一対の隆起部が相対向して形成されている。その一対の隆起部は、上述の溝に係合される。これにより、ロック／アンロック部材２２の自転および偏りが規制されるとともに、ロック／アンロック部材２２の円滑な摺動が得られる。
【００３４】
固定具２０により、レセプタクル部材１６を記録媒体用ハウジングに固定するにあたっては、先ず、ペグ部２４の爪部２４Ｎの先端が記録媒体用ハウジングの孔を貫通するまで爪部２４Ｎが挿入される。次に、ロック／アンロック部材２２の軸部の先端が、ソケット部１６ＲＨ側から円筒部内の所定位置まで挿入される。これにより、軸部の隆起部と隆起部相互間の部分が、円筒部内の突起部に係止される。その結果、ロック／アンロック部材２２は、所謂、仮ロック状態とされる。ロック／アンロック部材２２がペグ部２４内に保持されるので組み立て途中で脱落して紛失する虞がない。また、ロック／アンロック部材２２がペグ部２４内に保持された状態でレセプタクル部材１６を個別に包装することも可能となるので物流におけるレセプタクル部材１６の荷姿も簡便化される。
【００３５】
続いて、ロック／アンロック部材２２の先端が、さらに押し込まれる。これにより、爪部２４Ｎの先端が孔の周縁から離脱する方向、即ち、爪部２４Ｎの先端における互いに半径方向に沿って近接する方向の変位が規制されるので衝撃等がレセプタクル部材１６に作用した場合であってもレセプタクル部材１６が脱落する虞がない。また、ロック／アンロック部材２２における他の１つの隆起部が上述の円筒部内の突起部に係止される。これにより、ロック／アンロック部材２２は、所謂、ロック状態とされる。
【００３６】
斯かる構成において、ケーブル１８の一端をレセプタクル部材１６に接続するにあたっては、図８および図９に示されるように、先ず、スライダー部材１６Ｋがアンロック状態とされ、ケーブル１８の一端が第１の可動片部２６Ｋの接点部２６Ｋｃとスライダー部材１６Ｋの押圧部１６ＫＰとの間に挿入される。
【００３７】
次に、スライダー部材１６Ｋが、図１１および図１３に示されるように、スリットＳｂｉおよび切欠部１６Ｃ内に押し込まれる。これにより、スライダー部材１６Ｋがロック状態とされ、また、ケーブル１８のコンタクトパッドが第１の可動片部２６Ｋの接点部２６Ｋｃに電気的に接続されることとなる。
【００３８】
従って、ディスクパックのプラグ部１０が、レセプタクル部材１６のソケット部１６ＲＨに装着されることにより、配線基板等を要することなく、ディスクパックは、ケーブル１８を介して他の電装品に電気的に接続されることとなる。また、第１の可動片部２６Ｋおよび第２の可動片部２６Ｐが一体に隣接して形成されるので図１に示される全長Ｌをより小さくでき、従って、レセプタクル部材１６の小型化が図られることとなる。
【００３９】
コンタクト端子は、斯かる例に限られることなく、例えば、図１４に示されるコンタクト端子３６ａｉであってもよい。
【００４０】
図１４に示される各コンタクト端子３６ａｉは、図１５および図１６に示されるような、レセプタクル部材１６’におけるフランジ部１６’Ｆおよびソケット部１６’ＲＨ内に形成される各スリット内に配置される。なお、スライダー部材は、上述のスライダー部材１６Ｋと同様な構成を有するものとされる。
【００４１】
コンタクト端子３６ａｉは、薄板金属材料でプレス加工により成形され、スリットに圧入され固定される固定部３６Ｆと、一端が固定部３６Ｆに連結され、他端にケーブル１８のコンタクトパッドに当接する接点部３６Ｋｃを有する第１の可動片部３６Ｋと、一端が第１の可動片部３６Ｋに隣接して連結部３６ＰＦを介して連結され、他端にプラグ部１０のコンタクトパッド１０ｃｐに当接する接点部３６Ｐｃを有する第２の可動片部３６Ｐとから構成されている。
【００４２】
連結部３６ＰＦの一端は、固定部３６Ｆと一体に共通の平面上に形成され、また、連結部３６ＰＦの他端は、その共通の平面に対し略垂直となるように一方向に屈曲されている。
【００４３】
第１の可動片部３６Ｋの接点部３６Ｋｃは、弾性変位可能とされ、連結部３６ＰＦの一端、および、固定部３６Ｆと共通の平面上にあるように形成されている。
【００４４】
第２の可動片部３６Ｐの一端が、連結部３６ＰＦの他端に連なって形成されているので固定部３６Ｆ側とは反対方向に凸状に湾曲した第２の可動片部３６Ｐの接点部３６Ｐｃは、固定部３６Ｆに対し所定距離、偏倚した位置に形成されることとなる。また、接点部３６Ｐｃの位置は、連結部３６ＰＦの他端の位置に比べて所定の寸法だけ固定部側に下がった位置に設定されている。固定部３６Ｆの一端には、スリットの開口端の周縁に係止される鉤状部３６ｆが形成されている。
【００４５】
図１７は、本発明に係る記録媒体接続用コネクタの他の一例を示す。
【００４６】
図３に示される例においては、スライダー部材１６Ｋは、ソケット部１６ＲＨの延在する方向に対し略平行に摺動可能に設けられているのに対し、一方、図１７に示される例においては、スライダー部材４６Ｋは、ソケット部４６ＲＨの延在する方向に対し略垂直に摺動可能に設けられている。なお、図１７に示される例においても上述の例と同様にケーブル１８の一端がレセプタクル部材４６に接続される。
【００４７】
本発明に係るレセプタクル部材の他の例としての樹脂材料で成形されるレセプタクル部材４６は、図１９に拡大されて示されるように、ケーブル１８の一端をレセプタクル部材４６内のコンタクト収容部としてのスリット４６Ｓａｉ（ｉ＝１〜ｎ，ｎは正の整数），および、各隔壁４６ｗｉ（ｉ＝１〜ｎ，ｎは正の整数）の切欠部４６Ｃ内に対し着脱可能に固定するスライダー部材４６Ｋと、上述のディスクパックのプラグ部１０内に接続される雄型のソケット部４６ＲＨとを含んで構成されている。
【００４８】
ケーブル１８のコンタクトパッド群を後述するコンタクト端子５６ａｉの第１の可動片部５６Ｋに対し押圧するスライダー部材４６Ｋにおける押圧部４６Ｋｂは、図１９に示される矢印の示す方向に沿って、スロット４６ＳＬｃを介してスリット１６Ｓａｉ，および、各隔壁４６ｗｉの切欠部４６Ｃ内に対して摺動可能に支持されている。スロット４６ＳＬｃは、レセプタクル部材４６のスロット４６ＳＬａおよび４６ＳＬｂが開口する端面に対し略垂直となる一方の表面に開口している。
【００４９】
その分岐した押圧部４６Ｋｂおよび４６Ｋａの基端側における両側部には、それぞれ、図２０に示されるように、ケーブル１８のコンタクトパッド群をコンタクト端子５６ａｉの第１の可動片部５６Ｋに対し位置決めするガイド壁４６ＫＧＷが形成されている。
【００５０】
その押圧部の両脇には、図２１に拡大されて示されるように、ロック／アンロック爪部４６Ｋｎが一体に形成されている。ロック／アンロック爪部４６Ｋｎは、係止部をその先端に有している。係止部は、レセプタクル部材４６に形成される爪部４６Ｎに選択的に係止される。これにより、スライダー部材４６Ｋは、図２１に示されるように、上述の係止部が爪部４６Ｎに係止されるとき、ケーブル１８の一端をコンタクト端子に対し電気的に接続する状態を保持するロック位置をとるものとされる。
【００５１】
なお、図１９および図２１においては、スライダー部材４６Ｋがロック位置とされる状態を示す。
【００５２】
ソケット部４６ＲＨは、図１７および図１８に示されるように、スライダー部材４６Ｋの摺動方向に対し略垂直に延在し、プラグ部１０のコンタクトパッド群が挿入される細長いスロット４６ＳＬａおよび４６ＳＬｂを有している。ソケット部４６ＲＨの両側部に位置決めピン４６Ｐが一体に形成されている。そのスロット４６ＳＬａおよび４６ＳＬｂ内には、後述するコンタクト端子５６ａｉ（ｉ＝１〜ｎ，ｎは正の整数）の一端が露出している。スロット４６ＳＬａおよび４６ＳＬｂ相互間は、隔壁により、区切られている。また、各スロット内に形成される各スリット４６Ｓａｉには、コンタクト端子５６ａｉが、プラグ部１０のコンタクトパッド群の配列に対応した所定の間隔で配列されている。さらに、隣接するスリット４６Ｓａｉ相互間は、隔壁４６Ｗｉにより仕切られている。スリット１６Ｓａｉおよびスロット４６ＳＬｃは、互いに連通している。また、各スリット４６Ｓａｉは、スロット４６ＳＬａおよび４６ＳＬｂに向けて開口している。
【００５３】
スリット４６Ｓａｉ内に配されるコンタクト端子５６ａｉは、図２２および図２３に拡大されて示されるように、薄板金属材料でプレス加工により成形され、スリット４６Ｓａｉにおけるスライダー部材４６Ｋ側部分に圧入され固定される固定部５６Ｆと、一端が固定部５６Ｆに連結部５６ＰＦを介して連結され、他端にケーブル１８のコンタクトパッドに当接する接点部５６Ｋｃを有する第１の可動片部５６Ｋと、一端が固定部５６Ｆに連結され、他端にプラグ部１０のコンタクトパッド１０ｃｐに当接する接点部５６Ｐｃを有する第２の可動片部５６Ｐとから構成されている。
【００５４】
連結部５６ＰＦは、図２３に示されるように、固定部５６Ｆの平面に対して略垂直に折り曲げられて固定部５６Ｆの一端に形成されている。
【００５５】
第１の可動片部５６Ｋの接点部５６Ｋｃは、弾性変位可能とされ、連結部５６ＰＦと共通の平面上にあるように形成されている。
【００５６】
第２の可動片部５６Ｐの一端が、固定部５６Ｆの他端に連なって形成されているので固定部５６Ｆ側とは反対方向に凸状に湾曲した第２の可動片部５６Ｐの接点部５６Ｐｃは、図２３に示されるように、第１の可動片部５６Ｋおよび連結部５６Ｆに対し所定距離、偏倚した位置に形成されることとなる。
【００５７】
また、コンタクト端子５６ａｉにおける第２の可動片部５６Ｐは、図１９に示されるように、第１の可動片部５６Ｋの立ち上がり部分を越えてソケット部４６ＲＨのスロット４６ＳＬａおよび４６ＳＬｂ側の仕切壁４６Ｐａまで延在している。
【００５８】
コンタクト端子５６ａｉをスリット４６Ｓａｉに装着するにあたっては、スライダー部材４６Ｋがレセプタクル部材４６に対し取り外された状態において、コンタクト端子５６ａｉは、コンタクト端子５６ａｉの第２の可動片部５６Ｐ側からスリット１６Ｓａｉ内に挿入される。これにより、図１９に示されるように、コンタクト端子５６ａｉの第２の可動片部５６Ｐの先端は、ソケット部４６ＲＨ内の位置決め壁４６ｐａに係合される。
【００５９】
なお、図１７に示される例においては、上述のような固定具を備えるものとされるが、図示が省略されている。
【００６０】
斯かる構成において、ケーブル１８の一端をレセプタクル部材４６に接続するにあたっては、先ず、スライダー部材４６Ｋがアンロック状態とされ、ケーブル１８の一端が第１の可動片部５６Ｋの接点部５６Ｋｃとスライダー部材４６Ｋの押圧部４６Ｋｂとの間に挿入される。
【００６１】
次に、スライダー部材４６Ｋが、スリットＳａｉおよび切欠部４６Ｃ内に押し込まれる。これにより、スライダー部材４６Ｋが上述のロック状態とされ、また、ケーブル１８のコンタクトパッドが第１の可動片部５６Ｋの接点部５６Ｋｃに電気的に接続されることとなる。
【図面の簡単な説明】
【００６２】
【図１】本発明に係る記録媒体接続用コネクタの一例に用いられるコンタクト端子を示す斜視図である。
【図２】図１に示される例における底面図である。
【図３】本発明に係る記録媒体接続用コネクタの一例の外観をケーブルの一部とともに示す斜視図である。
【図４】図３に示される例においてソケット部側から見た斜視図である。
【図５】図３に示される例においてレセプタクル部材を示す正面図である。
【図６】図３に示される例においてレセプタクル部材をスライダー部材側から見た背面図である。
【図７】図５におけるＶＩＩ−ＶＩＩ線に沿って示される断面図である。
【図８】図３に示される例において動作説明に供される断面図である。
【図９】図８に示される状態を示す断面図である。
【図１０】図９に示される断面図における一部を拡大して示す部分断面図である。
【図１１】図３に示される例において動作説明に供される断面図である。
【図１２】図１１に示される状態を示す断面図である。
【図１３】図１２に示される断面図の一部を拡大して示す部分断面図である。
【図１４】本発明に係る記録媒体接続用コネクタの一例に用いられるコンタクト端子の他の一例を示す斜視図である。
【図１５】図１４に示されるコンタクト端子がレセプタクル部材に装着された状態を示す断面図である。
【図１６】図１４に示されるコンタクト端子がレセプタクル部材に装着された状態を示す断面図である。
【図１７】本発明に係る記録媒体接続用コネクタの他の一例を示す正面図である。
【図１８】図１７に示される例における側面図である。
【図１９】図１７におけるＸＶＩＩＩＩ−ＸＶＩＩＩＩ線に沿って示される断面図である。
【図２０】図１７に示される例における底面図である。
【図２１】図１７に示される例における背面図である。
【図２２】図１７に示される例に用いられるコンタクト端子を示す斜視図である。
【図２３】図２２に示される例における側面図である。
【符号の説明】
【００６３】
１０    プラグ部
１６、４６    レセプタクル部材
１６ＲＨ，４６ＲＨ    ソケット部
１８    ケーブル
２０    固定具
２６ａｉ、５６ａｉ    コンタクト端子
２６Ｋ    第１の可動片部
２６Ｐ    第２の可動片部
【図１】
2009158136.tif 000003
【図２】
2009158136.tif 000004
【図３】
2009158136.tif 000005
【図４】
2009158136.tif 000006
【図５】
2009158136.tif 000007
【図６】
2009158136.tif 000008
【図７】
2009158136.tif 000009
【図８】
2009158136.tif 000010
【図９】
2009158136.tif 000011
【図１０】
2009158136.tif 000012
【図１１】
2009158136.tif 000013
【図１２】
2009158136.tif 000014
【図１３】
2009158136.tif 000015
【図１４】
2009158136.tif 000016
【図１５】
2009158136.tif 000017
【図１６】
2009158136.tif 000018
【図１７】
2009158136.tif 000019
【図１８】
2009158136.tif 000020
【図１９】
2009158136.tif 000021
【図２０】
2009158136.tif 000022
【図２１】
2009158136.tif 000023
【図２２】
2009158136.tif 000024
【図２３】
2009158136.tif 000025